(57)【要約】【課題】透光性ＰＶが特定の色を呈するようにし、かつ透光性ＰＶの高変換効率を実現する。【解決手段】光発電装置１０は、発電層１００、光学機能層２００及び保護層３００を備えている。発電層１００、光学機能層２００及び保護層３００は、互いに重なっている。特に、発電層１００は、保護層３００から光学機能層２００に向けて、基板１１０、平坦化層１２０、バリア層１３０、第１透明電極１４０、光電変換層１５０及び第２透明電極１６０を順に含んでいる。光学機能層２００は、第１波長帯域の光を透過し、第１波長帯域と異なる第２波長帯域の光を反射する。【選択図】図１
2018195710.tif 000002
【特許請求の範囲】
【請求項１】
第１透明電極と、第２透明電極と、前記第１透明電極と前記第２透明電極の間の光電変換層と、を有する発電層と、
前記発電層と重なる光学機能層と、
を備え、
前記光学機能層は、第１波長帯域の光を透過し、前記第１波長帯域と異なる第２波長帯域の光を反射する光発電装置。
【請求項２】
請求項１に記載の光発電装置において、
前記光電変換層は、前記第２波長帯域のうちの少なくとも一部の波長帯域の光を電気的エネルギーに変換する光発電装置。
【請求項３】
請求項１又は２に記載の光発電装置において、
前記第１波長帯域は、４５０ｎｍ以上６５０ｎｍ以下の波長帯域であり、
前記第２波長帯域は、６５０ｎｍよりも長い波長帯域である光発電装置。
【請求項４】
請求項１から３までのいずれか一項に記載の光発電装置において、
前記光学機能層は、交互に積層された複数の第１層及び複数の第２層を含み、
各第１層の材料の屈折率は、各第２層の材料の屈折率より低い光発電装置。
【請求項５】
透光性を有する基材と、
前記基材の表面上又は内部に位置する第１金属線と、
前記基材に取り付けられ、第１透明電極を有する光発電装置と、
を備え、
前記第１透明電極は、前記第１金属線に沿った第１辺を有する光発電システム。
【請求項６】
請求項５に記載の光発電システムにおいて、
前記基材の表面上又は内部に位置し、前記第１金属線と並んで位置する第２金属線を備え、
前記第１透明電極は、前記第１辺の反対側にあって前記第２金属線に沿った第２辺を有する光発電システム。
【請求項７】
請求項６に記載の光発電システムにおいて、
前記基材の表面上又は内部に位置し、前記第１金属線及び前記第２金属線と交差する第３金属線を備え、
前記第１透明電極は、前記第１辺と前記第２辺の間にあって前記第３金属線に沿った第３辺を有する光発電システム。
【請求項８】
請求項７に記載の光発電システムにおいて、
前記基材の表面上又は内部に位置し、前記第３金属線と並んで位置し、前記第１金属線及び前記第２金属線と交差する第４金属線を備え、
前記第１透明電極は、前記第３辺の反対側にあって前記第４金属線に沿った第４辺を有する光発電システム。
【請求項９】
請求項５から８までのいずれか一項に記載の光発電システムにおいて、
前記光発電装置は、
前記第１透明電極と、第２透明電極と、前記第１透明電極と前記第２透明電極の間の光電変換層と、を有する発電層と、
前記発電層と重なる光学機能層と、
を有し、
前記光学機能層は、第１波長帯域の光を透過し、前記第１波長帯域と異なる第２波長帯域の光を反射し、
前記光発電装置は、前記発電層が前記基材と前記光学機能層の間に位置するように前記基材に取り付けられている光発電システム。
【発明の詳細な説明】
【技術分野】
【０００１】
本発明は、光発電装置及び光発電システムに関する。
【背景技術】
【０００２】
近年、可視光線帯域について透光性を有するＯＰＶ（Ｏｒｇａｎｉｃ  ＰｈｏｔｏＶｏｌｔａｉｃ）が開発されている。このようなＰＶは、例えば非特許文献１に記載されているように、第１透明電極、第２透明電極及び第１透明電極と第２透明電極の間の光電変換層（有機層）を有している。光電変換層は、可視光帯域の光を透過させ、赤外帯域の光を電気的エネルギーに変換する。したがって、太陽光がＯＰＶに入射すると、太陽光のうちの可視光線帯域の光は、ＰＶを透過し、太陽光のうちの赤外帯域の光は、光電変換層によって電気的エネルギーに変換される。このようにして、ＯＰＶは、可視光線帯域について透光性を有している。
【先行技術文献】
【非特許文献】
【０００３】
【非特許文献１】Chun-Chao Chen, Letian Dou, Rui Zhu, Choong-Heui Chung, Tze-Bin Song, Yue Bing Zheng, Steve Hawks, Gang Li, Paul S. Weiss, and Yang Yang "Visibly Transparent Polymer Solar Cells Produced by Solution Processing" ACS Nano, 2012, 6 (8), pp 7185-7190.
【発明の概要】
【発明が解決しようとする課題】
【０００４】
本発明者は、可視光線帯域について透光性を有するＰＶについて検討し、特に、ＰＶの色について着目した。ＰＶが透光性を有する場合であってもＰＶの外観上の色を特定の色に見せることを要請されることがある。例えばＯＰＶでは、光電変換層（有機層）を着色させることで、ＰＶ（ＯＰＶ）の外観上の色を特定の色に見せることができる。しかしながら、本発明者は、着色によってＰＶの効率が低下し得ることを見出した。これは、着色によって光が反射され、又は吸収され、このような光が電気的エネルギーに変換され得ないためである。本発明者は、透光性ＰＶが特定の色を呈するようにし、かつ透光性ＰＶの高変換効率を実現するための構造を検討した。
【０００５】
本発明の目的の一例は、透光性ＰＶが特定の色を呈するようにし、かつ透光性ＰＶの高変換効率を実現することにある。
【課題を解決するための手段】
【０００６】
本発明によれば、
第１透明電極と、第２透明電極と、前記第１透明電極と前記第２透明電極の間の光電変換層と、を有する発電層と、
前記発電層と重なる光学機能層と、
を備え、
前記光学機能層は、第１波長帯域の光を透過し、前記第１波長帯域と異なる第２波長帯域の光を反射する光発電装置が提供される。
【０００７】
本発明によれば、
透光性を有する基材と、
前記基材の表面上又は内部に位置する第１金属線と、
前記基材に取り付けられ、第１透明電極を有する光発電装置と、
を備え、
前記第１透明電極は、前記第１金属線に沿った第１辺を有する光発電システムが提供される。
【発明の効果】
【０００８】
本発明によれば、透光性ＰＶが特定の色を呈するようにし、かつ透光性ＰＶの高変換効率を実現することができる。
【図面の簡単な説明】
【０００９】
【図１】実施形態１に係る光発電装置を示す断面図である。
【図２】実施形態２に係る光発電システムを示す図である。
【図３】図２に示した領域αを拡大した図である。
【図４】図３のＡ−Ａ´断面図である。
【図５】図３のＢ−Ｂ´断面図である。
【図６】実施形態３に係る光発電システムを示す図である。
【図７】図６に示した領域βを拡大した図である。
【図８】図７のＣ−Ｃ´断面図である。
【図９】図７のＤ−Ｄ´断面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（実施形態１）
図１は、実施形態１に係る光発電装置１０を示す断面図である。
【００１２】
図１を用いて、光発電装置１０の概要について説明する。光発電装置１０は、発電層１００、光学機能層２００及び保護層３００を備えている。発電層１００、光学機能層２００及び保護層３００は、互いに重なっている。特に、発電層１００は、保護層３００から光学機能層２００に向けて、基板１１０、平坦化層１２０、バリア層１３０、第１透明電極１４０、光電変換層１５０及び第２透明電極１６０を順に含んでいる。
【００１３】
光発電装置１０は、透光性を有している。一例において、波長４００ｎｍ以上７００ｎｍ以下における光発電装置１０の平均透過率は、６０％以上、好ましくは９０％以上となっている。このような高い透光性は、可視光帯域のほぼ全域を反射する部材（例えば、厚い金属層）を光発電装置１０が有していないことによる。特に、第１透明電極１４０及び第２透明電極１６０の双方は、透光性を有しており、第１透明電極１４０及び第２透明電極１６０の一方について厚い金属層（例えば、厚いＡｌ層又は厚いＡｇ層）が用いられていない。
【００１４】
図１に示す例において、光学機能層２００は、第１波長帯域の光を透過し、第１波長帯域と異なる第２波長帯域の光を反射する。
【００１５】
上述した構成によれば、光発電装置１０が特定の色を呈するようにし、かつ光発電装置１０の高変換効率を実現することができる。具体的には、光学機能層２００は、第１波長帯域の光を透過し、第１波長帯域と異なる第２波長帯域の光を反射する。したがって、光学機能層２００を透過した光の色における第２波長帯域の光の色は弱くなる。つまり、第２波長帯域を調整することで、光学機能層２００側から見たときの光発電装置１０の外観上の色を所望の色に見せることができる。したがって、光発電装置１０は、特定の色を呈することができる。さらに、上述した構成によれば、光発電装置１０を着色する（例えば、一般的に吸収特性を有する着色剤を光発電装置１０のいずれかの部材に含有させる）必要がない。したがって、光発電装置１０の高変換効率を実現することができる。
【００１６】
さらに、図１に示す例において、光電変換層１５０は、第２波長帯域のうちの少なくとも一部波長帯域に光を電気的エネルギーに変換する。
【００１７】
上述した構成によれば、光発電装置１０のさらなる高変換効率を実現することができる。具体的には、光学機能層２００は、第１波長帯域の光を透過し、第１波長帯域と異なる第２波長帯域の光を反射し、光電変換層１５０は、第２波長帯域のうちの少なくとも一部の波長帯域の光を電気的エネルギーに変換する。したがって、光電変換層１５０は、光学機能層２００を透過しないで光電変換層１５０に入射した光のみならず、光学機能層２００によって反射された光をも電気的エネルギーに変換することができる。したがって、光発電装置１０のさらなる高変換効率を実現することができる。光電変換層１５０は第２波長帯域の光で発電する材料を使用するが、加えて第１波長帯域の一部でも発電する材料を使用してもよい。
【００１８】
また第１波長帯域の透過率及び第２波長帯域の反射率は光学機能層２００の各膜厚を変えることにより高いものから低いものまで変化でき、色と明るさの調整が可能である。
【００１９】
外部の光を積極的に取り入れる場合は第１波長帯域の透過率を７０％以上などと高くすることで外部の光の取入れを実現できる。スモークなど暗い色が必要の場合は透過率を下げることで暗い色を実現できる。
【００２０】
第１波長帯域の各波長の反射吸収特性を変えることで、細かい色調調整も可能である。
【００２１】
また第２波長帯域の反射率は効率向上のためには７０％以上の反射率が好ましい。
【００２２】
周りの部品の色調と明度と合わすときは、これらの透過率、反射率、波長帯域を変えることで実現できる。
【００２３】
次に、図１を用いて、光発電装置１０の詳細について説明する。
【００２４】
基板１１０は、透光性及び絶縁性を有している。一例において、基板１１０は、ガラス基板にすることができ、他の例において、基板１１０は、ＰＥＮ（Ｐｏｌｙｅｔｈｙｌｅｎｅ  Ｎａｐｈｔｈａｌａｔｅ）又はＰＥＴ（ＰｏｌｙＥｔｈｙｌｅｎｅ  Ｔｅｒｅｐｈｔｈａｌａｔｅ）等の樹脂基板にすることができる。
【００２５】
平坦化層１２０は、基板１１０の表面の凹凸を平坦化するために設けられている。このような凹凸を平坦化することで、基板１１０に積層される層の平坦性も確保されリークを防止することができる。特に基板１１０が樹脂基板であるとき、基板１１０の表面の凹凸をアルカリ性樹脂（平坦化層１２０）によって平坦化することができる。
【００２６】
バリア層１３０は、水分又は酸素の侵入を防止するために設けられている。特に基板１１０が樹脂基板であるとき、水分又は酸素が基板１１０を経由して侵入しやすい。バリア層１３０によって、このような水分又は酸素の侵入を防止することができる。一例において、バリア層１３０は、ＡＬＤ（Ａｔｏｍｉｃ  Ｌａｙｅｒ  Ｄｅｐｏｓｉｔｉｏｎ）膜、つまりＡＬＤによって堆積された層であり、他の例において、バリア層１３０は、金属薄膜層やＳｉＮ層である。
【００２７】
第１透明電極１４０は、透光性及び導電性を有している。一例において、第１透明電極１４０は、ＩＴＯ（ｉｎｄｉｕｍ  ｔｉｎ  ｏｘｉｄｅ）又はＦＴＯ（ｆｌｕｏｒｉｎｅ−ｄｏｐｅｄ  ｔｉｎ  ｏｘｉｄｅ）等のＴＣＯ（ｔｒａｎｓｐａｒｅｎｔ  ｃｏｎｄｕｃｔｉｖｅ  ｏｘｏｄｅ）；ＰＥＤＯＴ：ＰＳＳ（ｐｏｌｙ（３，４−ｅｔｈｙｌｅｎｅｄｉｏｘｙｔｈｉｏｐｈｅｎｅ）: ｐｏｌｙ（ｓｔｙｒｅｎｅ  ｓｕｌｆｏｎａｔｅ））等の導電性ポリマー；又はＣＮＴ（ｃａｒｂｏｎ  ｎａｎｏｔｕｂｅ）を含んでいる。
【００２８】
図１に示す例において、光電変換層１５０は、有機材料からなっている。したがって、図１に示す例において、光発電装置１０は、ＯＰＶとして機能することができる。他の例において、光電変換層１５０は、屈曲可能な薄膜無機材料からなっていてもよく、例えば、ＣＩＧＳ（Ｃｏｐｐｅｒ  Ｉｎｄｉｕｍ  Ｇａｌｌｉｕｍ  Ｓｅｌｅｎｉｄｅ）からなっていてもよい。
【００２９】
図１に示す例において、光電変換層１５０は、可視光線波長帯域よりも長い波長帯域、具体的には、赤外線波長帯域（７５０ｎｍ以上１５００ｎｍ以下の波長帯域）の光を電気的エネルギーに変換することができる。この場合、光電変換層１５０によって吸収される可視光線を少なくすることができる。したがって、可視光線波長帯域における光発電装置１０の透過率を高いものにすることができる。
【００３０】
第２透明電極１６０は、透光性及び導電性を有している。一例において、第２透明電極１６０は、ＩＴＯ又はＦＴＯ等のＴＣＯ；ＰＥＤＯＴ：ＰＳＳ等の導電性ポリマー；又はＣＮＴを含んでいる。第２透明電極１６０は、第１透明電極１４０と同一の材料を含んでいてもよいし、又は第１透明電極１４０と異なる材料を含んでいてもよい。
【００３１】
光学機能層２００は、第１波長帯域の光を透過し、第２波長帯域の光を反射する。一例において、第１波長帯域における光学機能層２００の平均透過率は、６０％以上、好ましくは９０％以上となっており、第２波長帯域における光学機能層２００の平均反射率は、６０％以上、好ましくは９０％以上となっている。したがって、光学機能層２００側から見たときの光発電装置１０の外観上の色を所望の色に見せることができる。
【００３２】
一例において、第１波長帯域は、４５０ｎｍ以上６５０ｎｍ以下の波長を有する帯域とし、第２波長帯域は、第１波長帯域の長いほうの波長６５０ｎｍより長い波長帯域とすることができる。この例においては、光学機能層２００は、赤色の波長帯域（つまり、第２波長帯域）の光を反射し、したがって、光学機能層２００を透過した光の色は青みがかるようになる。特にこの例においては、青みを有する透光性基材（例えば、自動車のウインドウガラス）に光発電装置１０を取り付けたときに、光発電装置１０が基材に対して目立たないようにすることができる。
【００３３】
光学機能層２００は、誘電体多層膜を含むようにしてもよい。より具体的には、この例において、光学機能層２００は、交互に積層された複数の第１層（第１ポリマー層）及び複数の第２層（第２ポリマー層）を含んでおり、各第１層及び各第２層は、それぞれ、低屈折率層及び高屈折率層であり、つまり、各第１層の材料の屈折率は、各第２層の材料の屈折率より低くなっている。光学機能層２００に含まれる層数は、例えば、１００以上１０００以下とすることができる。
【００３４】
保護層３００は、透光性を有しており、発電層１００及び光学機能層２００を紫外線や物理的衝撃から保護するために設けられている。一例において、保護層３００は、熱硬化性樹脂又は光硬化性樹脂の硬化物からなっている。保護層に第１波長帯域における特定波長の反射吸収機能を追加すると発電効率を変えずにさらに細かい色調調整ができる。
【００３５】
以上、本実施形態によれば、光発電装置１０が特定の色を呈するようにし、かつ光発電装置１０の高変換効率を実現することができる。
【００３６】
別の例として、第１波長帯域が４００ｎｍ以上５００ｎｍ未満、第２波長帯が５００ｎｍ以上６００ｎｍ未満の例を挙げる。６００ｎｍ以上の波長帯域の光は、光学機能層２００を透過する。反射する波長帯域の光は５００ｎｍ以上６００ｎｍ未満であり、他の波長帯域の光は透過するので、透過する色としては紫色となる。反射する波長帯域の光は、黄緑色であり、光電変換層１５０は少なくとも５００ｎｍ以上６００ｎｍ未満の帯域の光による発電能力を有する。この場合もそれぞれの波長帯域の反射率及び透過率は光学機能層２００の膜厚調整で可能である。
【００３７】
また基板と光学機能層を分離した形態で説明したが、光学機能層を基板として素子を作成することも可能である。この場合の構成は、図１において基板１１０がない構成となる。
【００３８】
（実施形態２）
図２は、実施形態２に係る光発電システム２０を示す図である。図３は、図２に示した領域αを拡大した図である。図４は、図３のＡ−Ａ´断面図である。図５は、図３のＢ−Ｂ´断面図である。
【００３９】
図２、図４及び図５を用いて、光発電システム２０の概要について説明する。光発電システム２０は、光発電装置１０、基材４００及び複数の金属線５００を備えている。光発電装置１０は、基材４００に取り付けられている。基材４００は、透光性を有している。複数の金属線５００は、基材４００の表面上又は内部に位置しており、特に図５に示す例では、基材４００の表面上に位置している。
【００４０】
本実施形態において、光発電システム２０は、自動車のリアウィンドウに用いられている。具体的には、基材４００は、自動車のリアウインドウガラスであり、金属線５００は、電熱線である。図４及び図５に示す例において、光発電装置１０は、自動車の内側に位置している。つまり、自動車の外側からの光（例えば、太陽光）は、基材４００を経由して光発電装置１０に入射する。
【００４１】
本実施形態に係る光発電装置１０は、実施形態１に係る光発電装置１０と同様にして、発電層１００、光学機能層２００及び保護層３００を有している。図２に示すように、光発電装置１０は、２次元マトリクス状に並んだ複数のセルＣを有しており、図４及び図５に示すように、各セルＣにおいて、第１透明電極１４０、光電変換層１５０及び第２透明電極１６０が互いに重なっている。
【００４２】
図４及び図５に示す例において、光発電装置１０は、発電層１００が基材４００と光学機能層２００の間に位置するように基材４００に取り付けられている。したがって、基材４００を透過した光は、発電層１００を経由して光学機能層２００に入射するようになる。したがって、実施形態１において説明した理由と同様の理由により、光学機能層２００側から見たときの光発電装置１０の外観上の色を所望の色に見せることができる。特に、光発電装置１０の外観上の色は、熱線カット処理したドアウィンドウガラスの色に類似した色にすることができる。この場合、光発電装置１０を装着したリアウィンドウとドアのウィンドウガラスの色を近い色にすることができ、全体としての色の調和を保つことができる。
【００４３】
複数の金属線５００は、ストライプ状に並んでいる。隣り合う金属線５００の間では、複数のセルＣが金属線５００に沿って一列に並んでいる。
【００４４】
次に、図３を用いて、光発電システム２０の詳細について説明する。
【００４５】
複数の金属線５００は、隣り合う第１金属線５１０及び第２金属線５２０を含んでいる。
【００４６】
各第１透明電極１４０は、矩形状となっており、第１辺１４０ａ、第２辺１４０ｂ、第３辺１４０ｃ及び第４辺１４０ｄを有している。第２辺１４０ｂは、第１辺１４０ａの反対側にある。第３辺１４０ｃは、第１辺１４０ａと第２辺１４０ｂの間にある。第４辺１４０ｄは、第３辺１４０ｃの反対側にある。
【００４７】
第１金属線５１０と第２金属線５２０の間の第１透明電極１４０は、第１辺１４０ａ及び第２辺１４０ｂがそれぞれ第１金属線５１０及び第２金属線５２０に沿うように位置している。
【００４８】
上述した構成によれば、第１透明電極１４０が目立たないようにすることができる。具体的には、光学機能層２００側から見た場合において、第１透明電極１４０と重なる領域は、第１透明電極１４０による僅かな光吸収によって、周囲の領域とは僅かながら異なる色を有するようになる。上述した構成においては、第１透明電極１４０の第１辺１４０ａ及び第２辺１４０ｂが、第１金属線５１０及び第２金属線５２０にそれぞれ沿っており、特に図３に示す例では、第１金属線５１０及び第２金属線５２０とそれぞれ平行になっている。したがって、第１透明電極１４０によって生じる色の境目が金属線５００の近傍に位置するようになる。したがって、第１透明電極１４０が目立たないようにすることができる。
【００４９】
次に、図４及び図５を用いて、光発電システム２０の断面の詳細について説明する。
【００５０】
図４に示すように隣接セル間（短辺間）は電気的に接続されていない。また図５に示すように、隣り合うセルＣのうちの一方のセルＣの第１透明電極１４０ともう一方のセルＣの第２透明電極１６０は、金属層１７０を介して互いに電気的に接続している。特に、図５に示す例において、金属層１７０の一部は、第２透明電極１６０及び光電変換層１５０に形成された溝に埋め込まれている。一例において、この溝は、レーザスクライブによって形成されることができる。基材４００の厚さ方向から見た場合、金属層１７０はセルＣの縁に沿って延伸しており、金属層１７０の幅は狭くなっている。したがって、金属層１７０は、光学機能層２００の透光性にほとんど影響を与えない。
【００５１】
隣り合うセルＣの間には、絶縁層１８２及び絶縁層１８４が位置している。絶縁層１８２は、第２透明電極１６０、光電変換層１５０及び第１透明電極１４０に形成された溝に埋め込まれており、特に、隣り合うセルＣの第１透明電極１４０同士の短絡を防止している。絶縁層１８４は、第２透明電極１６０及び光電変換層１５０に形成された溝に埋め込まれており、特に隣り合うセルＣの第２透明電極１６０同士の短絡を防止している。一例において、これらの溝は、レーザスクライブによって形成されることができる。
【００５２】
図５に示す例において、第２透明電極１６０は、第１透明電極１４０と同様にして、目立たないようにさせることができる。具体的には、第２透明電極１６０は、絶縁層１８４に沿った第１辺１６０ａを有しており、第２透明電極１６０の第１辺１６０ａは、第１透明電極１４０の第１辺１４０ａと同様にして、第１金属線５１０に沿うようになる。さらに、第２透明電極１６０は、絶縁層１８２に沿った第２辺１６０ｂを有しており、第２透明電極１６０の第２辺１６０ｂは、第１透明電極１４０の第２辺１４０ｂと同様にして、第２金属線５２０に沿うようになる。したがって、第２透明電極１６０は、第１透明電極１４０と同様にして、目立たないようにさせることができる。なお図４の場合は絶縁層１８２だけでよいが作成工程上同じ工程にしたい場合など絶縁層１８４を設けてもよい。
【００５３】
（実施形態３）
図６は、実施形態３に係る光発電システム２０を示す図である。図７は、図６に示した領域βを拡大した図である。図８は、図７のＣ−Ｃ´断面図である。図９は、図７のＤ−Ｄ´断面図である。本実施形態に係る光発電システム２０は、以下の点を除いて、実施形態２に係る光発電システム２０と同様である。
【００５４】
図６、図８及び図９を用いて、光発電システム２０の概要について説明する。本実施形態において、光発電システム２０は、建物の窓に用いられている。具体的には、基材４００は、建物の窓ガラスであり、金属線５００は、鉄線である。図８及び図９に示す例において、金属線５００は、基材４００の内側に位置している。図６に示すように、金属線５００は、格子状に広がっている。
【００５５】
図７を用いて、光発電システム２０の詳細について説明する。
【００５６】
金属線５００は、第１金属線５１０、第２金属線５２０、第３金属線５３０及び第４金属線５４０を含んでいる。第１金属線５１０及び第２金属線５２０は、互いに隣接している。第３金属線５３０及び第４金属線５４０は、互いに隣接しており、第１金属線５１０及び第２金属線５２０と交差している。
【００５７】
各第１透明電極１４０は、第１辺１４０ａ、第２辺１４０ｂ、第３辺１４０ｃ及び第４辺１４０ｄがそれぞれ第１金属線５１０、第２金属線５２０、第３金属線５３０及び第４金属線５４０に沿うように位置している。
【００５８】
上述した構成によれば、第１透明電極１４０が目立たないようにすることができる。具体的には、光学機能層２００側から見た場合において、第１透明電極１４０と重なる領域は、第１透明電極１４０による僅かな光吸収によって、周囲の領域とは僅かながら異なる色を有するようになる。上述した構成においては、第１透明電極１４０の第１辺１４０ａ、第２辺１４０ｂ、第３辺１４０ｃ及び第４辺１４０ｄが、第１金属線５１０、第２金属線５２０、第３金属線５３０及び第４金属線５４０にそれぞれ沿っており、特に図７に示す例では、第１金属線５１０、第２金属線５２０、第３金属線５３０及び第４金属線５４０とそれぞれ平行になっている。したがって、第１透明電極１４０によって生じる色の境目が金属線５００の近傍に位置するようになる。したがって、第１透明電極１４０が目立たないようにすることができる。
【００５９】
次に、図８及び図９を用いて、光発電システム２０の断面の詳細について説明する。
【００６０】
図２の例と異なり図６は隣接する辺を接続すると一方向の斜めの模様が見えることがある。そのためこの例ではセルＣをジグザグに接続した例を示した（図６において、セルＣの接続方向を黒矢印で示している。）。
【００６１】
以下図７において本説明対象とするセルをＣ１，Ｃ２、Ｃ３、Ｃ４としＣ２におけるＤ−Ｄ´、Ｃ−Ｃ´の説明である。すなわち電気的にはＣ１−Ｃ２−Ｃ３−Ｃ４と接続されている（図７において、これらのセルの接続箇所を破線で示している。）。
【００６２】
図８及び図９に示すように、隣り合うセルＣ１、Ｃ２、Ｃ３，Ｃ４間のうちの一方のセル例えばＣ１の第１透明電極１４０ともう一方のセルＣ２の第２透明電極１６０は、互いに電気的に接続している。特に、図８及び図９に示す例において、金属層１７０の一部は、第２透明電極１６０及び光電変換層１５０に形成された溝に埋め込まれている。一例において、この溝は、レーザスクライブによって形成されることができる。基材４００の厚さ方向から見た場合、金属層１７０はセルＣの縁に沿って延伸しており、金属層１７０の幅は狭くなっている。したがって、金属層１７０は、光学機能層２００の透光性にほとんど影響を与えない。この例ではジグザグに接続することで図６のパターンで横方向に電気的に接続される。従って例えばＣ２ではＣ１とＣ３以外のセルには電気的に接続されない。この例では横方向に延びる例を示したが、縦でもよい。
【００６３】
隣り合うセルＣの間には、絶縁層１８２及び絶縁層１８４が位置している。絶縁層１８２は、第２透明電極１６０、光電変換層１５０及び第１透明電極１４０に形成された溝に埋め込まれており、特に、隣り合うセルＣの第１透明電極１４０同士の短絡を防止している。絶縁層１８４は、第２透明電極１６０及び光電変換層１５０に形成された溝に埋め込まれており、特に隣り合うセルＣの第２透明電極１６０同士の短絡を防止している。一例において、これらの溝は、レーザスクライブによって形成されることができる。
【００６４】
図８に示す例において、第２透明電極１６０は、第１透明電極１４０と同様にして、目立たないようにさせることができる。具体的には、第２透明電極１６０は、絶縁層１８４に沿った第１辺１６０ａを有しており、第２透明電極１６０の第１辺１６０ａは、第１透明電極１４０の第１辺１４０ａと同様にして、第１金属線５１０に沿うようになる。さらに、第２透明電極１６０は、絶縁層１８２に沿った第２辺１６０ｂを有しており、第２透明電極１６０の第２辺１６０ｂは、第１透明電極１４０の第２辺１４０ｂと同様にして、第２金属線５２０に沿うようになる。したがって、第２透明電極１６０は、第１透明電極１４０と同様にして、目立たないようにさせることができる。
【００６５】
図９に示す例において、第２透明電極１６０は、第１透明電極１４０と同様にして、目立たないようにさせることができる。具体的には、第２透明電極１６０は、絶縁層１８４に沿った第３辺１６０ｃを有しており、第２透明電極１６０の第３辺１６０ｃは、第１透明電極１４０の第３辺１４０ｃと同様にして、第３金属線５３０に沿うようになる。さらに、第２透明電極１６０は、絶縁層１８２に沿った第４辺１６０ｄを有しており、第２透明電極１６０の第４辺１６０ｄは、第１透明電極１４０の第４辺１４０ｄと同様にして、第４金属線５４０に沿うようになる。したがって、第２透明電極１６０は、第１透明電極１４０と同様にして、目立たないようにさせることができる。
【００６６】
以上、図面を参照して本発明の実施形態について述べたが、これらは本発明の例示であり、上記以外の様々な構成を採用することもできる。
【符号の説明】
【００６７】
１０  光発電装置
２０  光発電システム
１００  発電層
１１０  基板
１２０  平坦化層
１３０  バリア層
１４０  第１透明電極
１４０ａ  第１辺
１４０ｂ  第２辺
１４０ｃ  第３辺
１４０ｄ  第４辺
１５０  光電変換層
１６０  第２透明電極
１７０  金属層
１８２  絶縁層
１８４  絶縁層
２００  光学機能層
３００  保護層
４００  基材
５００  金属線
５１０  第１金属線
５２０  第２金属線
５３０  第３金属線
５４０  第４金属線
Ｃ  セル
【図１】
2018195710.tif 000003
【図２】
2018195710.tif 000004
【図３】
2018195710.tif 000005
【図４】
2018195710.tif 000006
【図５】
2018195710.tif 000007
【図６】
2018195710.tif 000008
【図７】
2018195710.tif 000009
【図８】
2018195710.tif 000010
【図９】
2018195710.tif 000011